(57)【要約】【課題】文書に含まれる指定語と、指定語を除く文書とを区別可能に文書を表示できる情報処理装置及びプログラムを提供する。【解決手段】情報処理装置１は、文書に含まれる指定語の背景画像である第１背景画像と、指定語を除く文書の背景画像である第２背景画像とを、文書と共に表示部２７に出力する表示出力部１３と、表示出力部１３により表示部２７に出力された文書に関するスクロール表示の際の表示範囲を変更するスクロール要求を受け付ける要求受付部１４と、要求受付部１４により受け付けたスクロール要求の要求速度に応じて、文書を要求方向に移動させる文書移動部１６と、第１背景画像の画素値のみを、文書の移動に応じて変化させる第１画像移動部１７と、文書移動部１６による文書の移動に応じて、第２背景画像の画素値を、第１背景画像とは異なる変化量で変化させる第２画像移動部１８と、を備える。【選択図】図１
2020042337.tif 000002
【特許請求の範囲】
【請求項１】
文書に含まれる指定語の背景画像である第１背景画像と、前記指定語を除く前記文書の背景画像である第２背景画像とを、前記文書と共に表示部に出力する表示出力手段と、
前記表示出力手段により前記表示部に出力された前記文書に関するスクロール表示の際の表示範囲を変更するスクロール要求を受け付ける要求受付手段と、
前記要求受付手段により受け付けた前記スクロール要求に応じて、前記文書を要求方向に移動させる文書移動手段と、
前記第１背景画像又は前記第２背景画像のうち少なくとも一方の背景画像の画素値のみを、前記文書移動手段による前記文書の移動に応じて変化させる第１画像移動手段と、
を備えること、
を特徴とする情報処理装置。
【請求項２】
請求項１に記載の情報処理装置において、
前記第１画像移動手段は、前記少なくとも一方の背景画像の表示範囲を変更することで前記画素値を変化させること、
を特徴とする情報処理装置。
【請求項３】
請求項１又は請求項２に記載の情報処理装置において、
前記第１画像移動手段は、前記スクロール要求に対応したスクロールに伴い、少なくとも一方の背景画像を周期的に変化させること、
を特徴とする情報処理装置。
【請求項４】
請求項１から請求項３までのいずれかに記載の情報処理装置において、
前記第１画像移動手段は、前記第１背景画像又は前記第２背景画像のうち一方の背景画像の画素値のみを、前記文書移動手段による前記文書の移動に応じて変化させ、
前記一方の背景画像とは異なる他方の背景画像の画素値を、前記一方の背景画像とは異なる変化量で変化させる第２画像移動手段を備えること、
を特徴とする情報処理装置。
【請求項５】
請求項１から請求項４までのいずれかに記載の情報処理装置において、
前記第１背景画像と、前記第２背景画像とは、スクロール方向に周期的な模様を有するパターン画像であること、
を特徴とする情報処理装置。
【請求項６】
請求項１から請求項５までのいずれかに記載の情報処理装置において、
前記第１背景画像と、前記第２背景画像とは、前記文書の移動方向に交差する模様を有する画像であること、
を特徴とする情報処理装置。
【請求項７】
請求項１から請求項６までのいずれかに記載の情報処理装置としてコンピュータを機能させるためのプログラム。
【発明の詳細な説明】
【技術分野】
【０００１】
本発明は、文書を表示する情報処理装置及びプログラムに関する。
【背景技術】
【０００２】
ユーザが、パーソナルコンピュータ（ＰＣ）等の端末に表示された文書を見る場合に、例えば、論文等の文字が中心で長文にわたる文書等では、ユーザが興味のあるキーワードが分かりやすく表示されると便利である。
そこで、閲覧中の文書から検索等に使用できるキーワードを抽出するキーワード抽出装置が開示されている（例えば、特許文献１）。
【先行技術文献】
【特許文献】
【０００３】
【特許文献１】国際公開第２０１１／０３６７５５号
【発明の概要】
【発明が解決しようとする課題】
【０００４】
ところで、Ｗｅｂページ等、インターネット環境に公開された文書は、背景画像の上に文書が表示されたものがある。そして、特許文献１にも記載のとおり、端末において、一度に全ての文書が表示されない場合には、画面をスクロールして文書を表示させる。そのような場合であっても、キーワード等の指定語を、指定語を除く文書と異なるように表現してみせることにより、ユーザに、指定語又は指定語を除く文書を印象付けることができると考えられる。
【０００５】
そこで、本発明は、文書に含まれる指定語と、指定語を除く文書とを区別可能に文書を表示できる情報処理装置及びプログラムを提供することを目的とする。
【課題を解決するための手段】
【０００６】
本発明は、以下のような解決手段により、前記課題を解決する。
第１の発明は、文書に含まれる指定語の背景画像である第１背景画像と、前記指定語を除く前記文書の背景画像である第２背景画像とを、前記文書と共に表示部に出力する表示出力手段と、前記表示出力手段により前記表示部に出力された前記文書に関するスクロール表示の際の表示範囲を変更するスクロール要求を受け付ける要求受付手段と、前記要求受付手段により受け付けた前記スクロール要求に応じて、前記文書を要求方向に移動させる文書移動手段と、前記第１背景画像又は前記第２背景画像のうち少なくとも一方の背景画像の画素値のみを、前記文書移動手段による前記文書の移動に応じて変化させる第１画像移動手段と、を備えること、を特徴とする情報処理装置である。
第２の発明は、第１の発明の情報処理装置において、前記第１画像移動手段は、前記少なくとも一方の背景画像の表示範囲を変更することで前記画素値を変化させること、を特徴とする情報処理装置である。
第３の発明は、第１の発明又は第２の発明の情報処理装置において、前記第１画像移動手段は、前記スクロール要求に対応したスクロールに伴い、少なくとも一方の背景画像を周期的に変化させること、を特徴とする情報処理装置である。
第４の発明は、第１の発明から第３の発明までのいずれかの情報処理装置において、前記第１画像移動手段は、前記第１背景画像又は前記第２背景画像のうち一方の背景画像の画素値のみを、前記文書移動手段による前記文書の移動に応じて変化させ、前記一方の背景画像とは異なる他方の背景画像の画素値を、前記一方の背景画像とは異なる変化量で変化させる第２画像移動手段を備えること、を特徴とする情報処理装置である。
第５の発明は、第１の発明から第４の発明までのいずれかの情報処理装置において、前記第１背景画像と、前記第２背景画像とは、スクロール方向に周期的な模様を有するパターン画像であること、を特徴とする情報処理装置である。
第６の発明は、第１の発明から第５の発明までのいずれかの情報処理装置において、前記第１背景画像と、前記第２背景画像とは、前記文書の移動方向に交差する模様を有する画像であること、を特徴とする情報処理装置である。
第７の発明は、第１の発明から第６の発明までのいずれかの情報処理装置としてコンピュータを機能させるためのプログラムである。
【発明の効果】
【０００７】
本発明によれば、文書に含まれる指定語と、指定語を除く文書とを区別可能に文書を表示できる情報処理装置及びプログラムを提供することができる。
【図面の簡単な説明】
【０００８】
【図１】本実施形態に係る情報処理装置の機能ブロックを示す図である。
【図２】本実施形態に係る情報処理装置の文書表示処理を示すフローチャートである。
【図３】本実施形態に係る情報処理装置での事前処理を示すフローチャートである。
【図４】本実施形態に係る情報処理装置で表示する文書及び各背景画像の構成を説明するための図である。
【図５】本実施形態に係る情報処理装置での表示例を示す図である。
【図６】本実施形態に係る情報処理装置での移動処理を示すフローチャートである。
【図７】本実施形態に係る情報処理装置の背景画像記憶部に記憶された背景画像の例を示す図である。
【図８】本実施形態に係る情報処理装置で表示する文書及び各背景画像の他の構成を説明するための図である。
【図９】本実施形態に係る情報処理装置での他の表示例を示す図である。
【発明を実施するための形態】
【０００９】
以下、本発明を実施するための形態について、図を参照しながら説明する。なお、これは、あくまでも一例であって、本発明の技術的範囲は、これに限られるものではない。
（実施形態）
＜情報処理装置１＞
図１は、本実施形態に係る情報処理装置１の機能ブロックを示す図である。
情報処理装置１は、文書と、文書中の区別したい語である指定語と、背景画像とを受け付けて、受け付けた背景画像をバックに文書を表示する装置である。そして、情報処理装置１は、文書をスクロールさせた際に、指定語と、指定語以外とを区別可能に表示する。
【００１０】
情報処理装置１は、ユーザが使用する装置である。情報処理装置１は、例えば、パーソナルコンピュータ（ＰＣ）等であって、文書を表示可能な装置である。なお、情報処理装置１は、文書を表示でき、表示した文書の範囲を操作によって移動できるものであれば、ＰＣに限定するものではなく、例えば、タブレット端末、携帯端末等であってもよい。
【００１１】
情報処理装置１は、制御部１０と、記憶部２０と、入力部２６と、表示部２７と、通信インタフェース部２９とを備える。
制御部１０は、情報処理装置１の全体を制御するＣＰＵ（中央処理装置）である。制御部１０は、記憶部２０に記憶されているＯＳ（オペレーティングシステム）や、各種のアプリケーションプログラムを適宜読み出して実行することにより、上述したハードウェアと協働し、各種機能を実行する。
制御部１０は、文書受付部１１と、事前処理部１２と、表示出力部１３（表示出力手段）と、要求受付部１４（要求受付手段）と、要求処理部１５とを備える。
【００１２】
文書受付部１１は、表示する文書を受け付ける。文書受付部１１は、例えば、文書記憶部２２に記憶された文書を受け付けてもよいし、後述する通信インタフェース部２９を介して、Ｗｅｂサーバ等の外部装置（図示せず）から受信した文書を受け付けてもよい。
ここで、対象文書は、１以上の文を含み、文の長さに制限はない。例えば、情報処理装置１の表示部２７に一度に表示されない長さの文書であってもよいし、表示部２７に全ての文が表示される長さの文書であってもよい。
【００１３】
事前処理部１２は、文書を表示するにあたって、背景画像や指定語を受け付けて、文書を表示するための処理を行う。具体的には、事前処理部１２は、受け付けた指定語を、文書から抽出し、抽出した指定語の背景として表示させる背景画像である第１背景画像を生成する。また、事前処理部１２は、抽出した指定語を除く語である文書の背景として表示させる背景画像である第２背景画像を生成する。
【００１４】
表示出力部１３は、表示部２７に文書を表示させる。その際、表示出力部１３は、文書と共に、事前処理部１２の処理によって生成した第１背景画像及び第２背景画像を、文書と共に表示させる。
要求受付部１４は、入力部２６を介して表示部２７に表示された文書について、表示範囲を変更する要求であるスクロール要求を受け付ける。
【００１５】
要求処理部１５は、要求受付部１４による要求に対応した処理を行う。要求処理部１５は、文書移動部１６（文書移動手段）と、第１画像移動部１７（第１画像移動手段）と、第２画像移動部１８（第２画像移動手段）とを備える。
文書移動部１６は、要求受付部１４により受け付けたスクロール要求に応じて、文書を要求方向に移動させる。
第１画像移動部１７は、文書移動部１６による文書の移動に応じて、第１背景画像の画素値を変化させる。
第２画像移動部１８は、第２背景画像の画素値を、第１背景画像とは異なる変化量で変化させる。
なお、これらの各機能の詳細については、後述する。
【００１６】
記憶部２０は、情報処理装置１の動作に必要なプログラム、データ等を記憶するためのハードディスク、半導体メモリ素子等の記憶装置である。
なお、コンピュータとは、制御部、記憶装置等を備えた情報処理装置をいい、情報処理装置１は、制御部１０、記憶部２０等を備えた情報処理装置であり、コンピュータの概念に含まれる。
【００１７】
記憶部２０は、プログラム記憶部２１と、文書記憶部２２と、背景画像記憶部２３とを備える。
プログラム記憶部２１は、プログラムを記憶するための記憶領域である。プログラム記憶部２１は、文書出力プログラム２１ａを記憶している。
文書出力プログラム２１ａは、制御部１０の各種機能を実行するためのプログラムである。
【００１８】
文書記憶部２２は、表示部２７に表示させる文書を記憶するための記憶領域である。
背景画像記憶部２３は、文書と共に表示させる背景画像を記憶するための記憶領域である。背景画像は、スクロール方向に周期的な模様を有するパターン画像であることが望ましい。また、背景画像は、文書の移動方向に交差する模様を有する画像であることが望ましい。具体的には、文書の移動方向が上下のスクロールであれば、背景画像の一例としては、横方向や斜め方向の縞模様等の画像が該当する。
なお、記憶部２０は、ユーザにより選択された指定語や、背景画像を特定する画像ＩＤ（ＩＤｅｎｔｉｆｉｃａｔｉｏｎ）等を一時的に使用する一時記憶領域等を有する。
【００１９】
入力部２６は、例えば、キーボードやマウス等の入力装置である。
表示部２７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等の表示装置である。
なお、入力部２６及び表示部２７の機能を有するタッチパネルディスプレイであってもよい。
通信インタフェース部２９は、通信ネットワークを介して外部装置との通信を行うためのインタフェースである。
【００２０】
＜処理の説明＞
次に、情報処理装置１で行う処理について説明する。
図２は、本実施形態に係る情報処理装置１の文書表示処理を示すフローチャートである。
図３は、本実施形態に係る情報処理装置１の事前処理を示すフローチャートである。
図４は、本実施形態に係る情報処理装置１で表示する文書及び各背景画像の構成を説明するための図である。
図５は、本実施形態に係る情報処理装置１での表示例を示す図である。
図６は、本実施形態に係る情報処理装置１での移動処理を示すフローチャートである。
【００２１】
図２のステップＳ（以下、単に「Ｓ」という。）１０において、情報処理装置１の制御部１０（文書受付部１１）は、表示部２７に表示させる文書を受け付ける。
Ｓ１１において、制御部１０（事前処理部１２）は、事前処理を行う。
ここで、事前処理について、図３に基づき説明する。
【００２２】
図３のＳ２０において、制御部１０は、指定語を受け付ける。指定語は、ユーザによって指定されてもよい。制御部１０は、例えば、指定語を入力可能なテキストボックス等の入力領域を、表示部２７に表示する。そして、ユーザが指定語を入力することで、制御部１０は、指定語を受け付けてもよい。
また、制御部１０が各種の処理を行うことで指定してもよい。制御部１０は、例えば、文書を解析して、文書中の頻度の高い語等を指定語として受け付けてもよい。
なお、指定語は、語に限らず、文や文の一部であってもよい。
Ｓ２１において、制御部１０は、文書中に存在する指定語を抽出する。制御部１０は、文書中の指定語の位置（開始及び終了位置）をあわせて取得する。
【００２３】
Ｓ２２において、制御部１０は、背景画像を受け付ける。背景画像は、予め決められていてもよいし、ユーザによって指定されたものであってもよい。
制御部１０は、例えば、背景画像記憶部２３に記憶された１つ又は２つの背景画像を、デフォルトで抽出してもよい。ここで、第１背景画像と第２背景画像とにおいて同じ画像を用いる場合には、制御部１０は、１つの背景画像を抽出する。また、第１背景画像と第２背景画像とにおいて異なる画像を用いる場合には、制御部１０は、２つの背景画像を抽出する。但し、２つの背景画像は、類似画像であることが望ましい。類似画像とは、例えば、ボーダーの画像であれば、太さが異なる２種類の画像をいう。
また、制御部１０は、背景画像記憶部２３に記憶された複数の背景画像から、１つ又は２つの背景画像をランダムで決定して抽出してもよい。
【００２４】
さらに、制御部１０は、例えば、背景画像記憶部２３に記憶された複数の背景画像のサムネイル画像を、表示部２７に表示する。そして、ユーザがサムネイル画像から１つ又は２つのサムネイル画像を選択することで、制御部１０は、選択された背景画像を抽出してもよい。
その際、制御部１０は、選択肢として表示させる背景画像を、表示領域でのスクロール方向を加味して選択してもよい。具体的には、表示領域でのスクロール方向が上下方向のみである場合には、縦縞等の縦方向のみの模様を対象外にする、等である。
【００２５】
Ｓ２３において、制御部１０は、受け付けた背景画像を、背景画像記憶部２３から抽出する。
Ｓ２４において、制御部１０は、抽出した文書中の指定語に対応した第１背景画像を、抽出した背景画像を用いて生成する。
Ｓ２５において、制御部１０は、指定語を除く文書に対応した第２背景画像を、抽出した背景画像を用いて生成する。その後、制御部１０は、処理を図２のＳ１２に移す。
ここで、生成する背景画像の構成の具体例について、図４に基づき説明する。
【００２６】
図４（Ａ）は、文書４１と、第１背景画像４２と、第２背景画像４３とを示す。文書４１と、第１背景画像４２と、第２背景画像４３とは、レイヤ状である。そして、制御部１０は、文書４１と、第１背景画像４２と、第２背景画像４３とを、図４（Ａ）に示すように、重ね合わせる。
図４（Ｂ）は、文書４１を示す。文書４１は、指定語４１ａと、指定語を除く文書４１ｂとから構成されている。
図４（Ｃ）は、第１背景画像４２を示す。第１背景画像４２は、窓部４２ａと、透明部４２ｂとから構成されている。窓部４２ａは、文書４１の指定語４１ａに対応した位置に有する。また、窓部４２ａは、抽出した背景画像を有する。透明部４２ｂは、透過性を有する無色である。
図４（Ｄ）は、第２背景画像４３を示す。第２背景画像４３は、抽出した背景画像を有する。
【００２７】
図２のＳ１２において、制御部１０（表示出力部１３）は、表示部２７に文書を表示させる。表示部２７には、Ｓ１０の処理によって受け付けた文書と、Ｓ１１の処理によって生成された背景画像とが表示される。
図５（Ａ）は、表示部２７に最初に表示されたときの表示画面５０の例を示す。
図５（Ａ）に示すように、表示画面５０には、第２背景画像５３と共に、指定語５１ａを除く文書５１ｂが表示されている。また、表示画面５０には、第１背景画像の背景部５２ａと共に、指定語５１ａが表示されている。第１背景画像の背景部５２ａと、第２背景画像５３とは、同一のパターン画像であり、等間隔の斜線の模様の画像である。
そして、制御部１０は、図５（Ａ）に示すように、表示部２７に最初に表示する際には、第１背景画像と、第２背景画像とが区別なく、一連になった表示画面５０として表示してもよいし、第１背景画像と、第２背景画像とが、ずれた状態のままで表示してもよい。
【００２８】
図２のＳ１３において、制御部１０（要求受付部１４）は、入力部２６を介した、文書が表示された表示領域のスクロール要求を受け付けたか否かを判断する。スクロール要求を受け付けた場合（Ｓ１３：ＹＥＳ）には、制御部１０は、処理をＳ１４に移す。他方、スクロール要求を受け付けていない場合（Ｓ１３：ＮＯ）には、制御部１０は、処理をＳ１６に移す。
Ｓ１４において、制御部１０（要求処理部１５）は、移動処理を行う。
ここで、移動処理について、図６に基づき説明する。
【００２９】
図６のＳ３０において、制御部１０（文書移動部１６）は、受け付けたスクロール要求に対応する移動量を算出する。
Ｓ３１において、制御部１０（文書移動部１６）は、算出した移動量に応じて、要求方向に文書を移動させる。
Ｓ３２において、制御部１０（第１画像移動部１７）は、文書の移動に応じて、第１背景画像の表示範囲を変更することで、画素値を変化させる。
Ｓ３３において、制御部１０（第２画像移動部１８）は、第２背景画像の画素値を、第１背景画像の画素値とは異なる変化量で変化させる。
その後、制御部１０は、処理を図２のＳ１５に移す。
【００３０】
図５（Ｂ）は、図５（Ａ）の表示画面５０を、ユーザの指Ｆによって矢印に示すように下方向に移動中の表示画面６０の例を示す。
図５（Ｂ）に示すように、表示画面６０には、表示画面５０と同様に、第２背景画像５３と共に、指定語５１ａを除く文書５１ｂが表示されている。制御部１０は、第２背景画像５３と文書５１ｂとを、ユーザの指Ｆの下方向の移動量と同じ移動量で、同じ方向に移動させるように、画素値を周期的に変化させている。そのため、ユーザは、第２背景画像５３と、文書５１ｂとが、表示画面５０の時と何ら変わらずに、同じように見える。
【００３１】
また、表示画面６０には、第１背景画像の背景部６２ａと共に、指定語５１ａが表示されている。背景部６２ａは、図５（Ａ）の背景部５２ａと比較して、斜線の模様がずれている。これは、第１背景画像の背景部６２ａが、文書５１ｂ及び第２背景画像５３とは異なる変化量で画素値を変化させていることによる。例えば、制御部１０は、第１背景画像の背景部６２ａが移動していないかのように画素値を変化させる。又は、制御部１０は、第１背景画像の背景部６２ａの画素値については変化させない。そのようにすることで、第１背景画像の背景部６２ａは、移動量に応じて斜線の模様が動きのあるものになり、その結果、指定語５１ａと、文書５１ｂとの見え方が、区別される。
【００３２】
図２のＳ１５において、制御部１０は、スクロール要求を受け付けなくなり、スクロールが停止したか否かを判断する。スクロールが停止した場合（Ｓ１５：ＹＥＳ）には、制御部１０は、処理をＳ１６に移す。他方、スクロール要求を受け付け中であり、スクロールが停止していない場合（Ｓ１５：ＮＯ）には、制御部１０は、処理をＳ１４に移す。そして、スクロールしている間は、指定語５１ａと、文書５１ｂとの見え方が、区別される。
Ｓ１６おいて、制御部１０は、文書の表示を終了するか否かを判断する。例えば、ユーザが、文書出力プログラム２１ａの終了を選択したり、表示している文書を閉じる操作をしたりすることで、制御部１０は、文書の表示を終了すると判断する。文書の表示を終了する場合（Ｓ１６：ＹＥＳ）には、制御部１０は、処理をＳ１７に移す。他方、文書の表示を終了しない場合（Ｓ１６：ＮＯ）には、制御部１０は、処理をＳ１３に移す。
Ｓ１７において、制御部１０は、表示部２７に表示されていた文書及び各背景画像を、表示部２７から消去する。その後、制御部１０は、本処理を終了する。
【００３３】
なお、上記の例では、第１背景画像及び第２背景画像を、斜線の模様であるものを説明した。しかし、第１背景画像と、第２背景画像とは、同じか、又は、類似するパターン画像であって、スクロール方向と交差する模様を有する画像であれば、他の画像であってもよい。
図７は、本実施形態に係る情報処理装置１の背景画像記憶部２３に記憶された背景画像の例を示す図である。
図７（Ａ）は、千鳥格子の模様を有する背景画像７１である。
図７（Ｂ）は、蜂の巣の模様を有する背景画像７２である。
図７（Ｃ）は、ひし形形状の格子模様を有する背景画像７３である。
背景画像７１〜７３のいずれも、情報処理装置１のスクロール可能な方向である上下又は左右の方向に交差する模様を有したパターン画像であって、周期的な模様を有する。よって、背景画像７１〜７３のいずれかを用いても、情報処理装置１において上述した例のものと同様に、指定語と、指定語を除く文書とを、区別させて見せることができる。
【００３４】
（変形例１）
上述の例では、文書と、第１背景画像と、第２背景画像とを、第１背景画像を、第２背景画像より上側に配置したものを例に説明したが、これに限定されない。第２背景画像の下側に第１背景画像を配置したものであっても、同様の処理を行うことができる。
図８は、本実施形態に係る情報処理装置１で表示する文書及び各背景画像の他の構成を説明するための図である。
図８（Ａ）は、文書８１と、第２背景画像８３と、第１背景画像８２とを示す。文書８１と、第２背景画像８３と、第１背景画像８２とは、レイヤ状である。そして、制御部１０は、文書８１と、第２背景画像８３と、第１背景画像８２とを、図８（Ａ）に示すように、順に重ね合わせる。
【００３５】
図８（Ｂ）は、文書８１を示す。文書８１は、指定語８１ａと、指定語を除く文書８１ｂとから構成されている。
図８（Ｃ）は、第２背景画像８３を示す。第２背景画像８３は、窓部８３ａと、背景部８３ｂとから構成されている。窓部８３ａは、文書８１の指定語８１ａに対応した位置に有する。また、窓部８３ａは、透過性を有する無色である。背景部８３ｂは、背景画像を有する。
図８（Ｄ）は、第１背景画像８２を示す。第１背景画像８２は、背景画像を有する。
図８に示す構成であっても、スクロール要求を受け付けた場合に、第１背景画像と、第２背景画像とを異なる移動量で移動するように見せることができる。
【００３６】
（変形例２）
上述の例では、第２背景画像を、文書と同じ速度かつ同じ方向に移動するように見せるものを説明したが、第１背景画像を、文書と同じ速度かつ同じ方向に移動するように見せるものであってもよい。
図９は、本実施形態に係る情報処理装置１での他の表示例を示す図である。
図９（Ａ）は、表示部２７に最初に表示されたときの表示画面９０の例を示す。
表示画面９０は、第１背景画像及び第２背景画像の模様が、図５（Ａ）に示す表示画面５０と異なる以外は、図５（Ａ）に示す表示画面５０と同じ状態である。
第１背景画像９２ａと、第２背景画像９３とは、同一のパターン画像であり、等間隔の市松模様の画像である。
【００３７】
図９（Ｂ）は、図９（Ａ）の表示画面９０を、下方向に移動させた表示画面１００の例を示す。
図９（Ｂ）に示すように、表示画面１００には、第２背景画像１０３と共に、指定語９１ａを除いた文書９１ｂが表示されている。文書９１ｂは、スクロール移動と共に移動しているが、文書９１ｂの背景画像である第２背景画像１０３は、文書９１ｂの移動とは異なる移動量で、同じ方向に移動させるように、画素値を周期的に変化させている。又は、第２背景画像１０３の画素値については変化させない。そのため、表示画面９０と比較して、表示画面１００は、文書９１ｂの背景画像である第２背景画像１０３が、第２背景画像９３とは異なった状態であって、ずれている。
他方、制御部１０は、第１背景画像９２ａを、スクロールの移動量で、同じ方向に移動させるように、画素値を周期的に変化させている。そのため、ユーザは、第１背景画像９２ａと、指定語９１ａとが、表示画面９０の時と何ら変わらずに、同じように見える。
【００３８】
このように、指定語９１ａの第１背景画像９２ａは、スクロールの移動に関わらずに変化がない。よって、指定語９１ａは、第１背景画像９２ａが同じ状態のままであるため見やすい。他方、指定語９１ａを除く文書９１ｂの第２背景画像１０３は、スクロールの移動に対応して動いて見えるため、文書９１ｂは見にくくなる。
【００３９】
このように、本実施形態によれば、情報処理装置１は、以下のような効果がある。
（１）表示部２７に、背景画像と共に文書を表示し、画面のスクロールによる、文書の位置の移動に応じて、文書の指定語の背景である第１背景画像と、指定語を除いた文書の背景である第２背景画像との画素値を変化させる。その際、第１背景画像の画素値の変化は、第２背景画像の画素値の変化とは異なる変化量である。よって、文書中の指定語と、指定語を除く文書との表示が、背景画像の画素値の変化が異なることによって変化する。その結果として、文書に含まれる指定語と、指定語を除く文書とを区別可能にして表示することができる。
【００４０】
（２）第１背景画像の画素値の変化と、第２背景画像の画素値の変化とを、異なる変化量にする。よって、第１背景画像に対応した指定語と、第２背景画像に対応した指定語を除く文書との表示態様が変化するものにできる。
（３）第２背景画像の画素値の変化を、文書の移動量に応じたものにし、かつ、文書の移動方向と同じ方向に第２背景画像を移動させるように画素値を変化させる。よって、第２背景画像と共に表示する指定語を除く文書を、指定語よりも読みやすくすることができる。
（４）第１背景画像の画素値の変化を、文書の移動量に応じたものにし、かつ、文書の移動方向と同じ方向に第１背景画像を移動させるように画素値を変化させる。よって、第１背景画像と共に表示する指定語を、指定語を除く文書よりも読みやすくすることができる。
【００４１】
（５）第１背景画像と、第２背景画像とを同じか、又は、類似の画像にすることで、文書を表示した際には違和感なく文書を表示させることができる。そして、文書をスクロール要求に応じて移動させることで、第１背景画像の前景の指定語と、第２背景画像の前景の指定語を除く文書とを区別可能にできる。
（６）第１背景画像と、第２背景画像とを、スクロール方向に周期的な模様を有するパターン画像にすることで、スクロール要求に応じた文書移動の際に、より区別可能にすることができる。
（７）第１背景画像と、第２背景画像とは、文書の移動方向に交差する模様を有する画像にすることで、スクロール要求に応じた文書移動の際に、より区別可能にすることができる。
【００４２】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４３】
（変形形態）
（１）本実施形態では、指定語について、１つの指定語を例に説明したが、これに限定されない。指定語は、１つに限定されず、複数であってもよい。
（２）本実施形態では、第１画像移動部が第１背景画像の画素値を変化させ、第２画像移動部が第２背景画像の画素値を変化させるものを例に説明したが、これに限定されない。第１画像移動部が、第２背景画像の画素値を変化させ、第２画像移動部が第１背景画像の画素値を変化させてもよい。また、第１画像移動部が、第１背景画像と、第２背景画像との画素値を変化させるものでもよい。さらに、第１画像移動部の処理のみとし、第２画像移動部がないものであってもよい。
【００４４】
（３）本実施形態では、第１背景画像又は第２背景画像を、文書と同じ移動量で、同じ方向に移動させるように、画素値を周期的に変化させるものを例に説明したが、これに限定されない。例えば、第１背景画像と、第２背景画像とを、文書の移動量とは異なる移動量でそれぞれ同じ方向に移動させるように、画素値を周期的に変化させてもよい。
また、例えば、第１背景画像と、第２背景画像との少なくも一方を、文書の移動方向とは異なる反対方向に移動させるように、画素値を周期的に変化させてもよい。
【００４５】
（４）本実施形態では、背景画像のパターンを例示したが、これに限定されない。周期的な模様を有するパターン画像であれば、他のものであってもよい。また、パターン画像は、色の変化によって周期的な模様を有するものであってもよい。
（５）本実施形態では、スタンドアロンの装置によるものを例に説明したが、これに限定されない。入力部及び表示部を有する装置を、別の装置として、情報処理装置に接続させたシステムであってもよい。
【符号の説明】
【００４６】
１    情報処理装置
１０  制御部
１３  表示出力部
１４  要求受付部
１６  文書移動部
１７  第１画像移動部
１８  第２画像移動部
２０  記憶部
２１ａ  文書出力プログラム
２３  背景画像記憶部
２６  入力部
２７  表示部
【図１】
2020042337.tif 000003
【図２】
2020042337.tif 000004
【図３】
2020042337.tif 000005
【図４】
2020042337.tif 000006
【図５】
2020042337.tif 000007
【図６】
2020042337.tif 000008
【図７】
2020042337.tif 000009
【図８】
2020042337.tif 000010
【図９】
2020042337.tif 000011